(57)【要約】簡単な防水方法で効果的な防水ができる電気脱毛器を提供する。  そのために、本体１に対してヘッド部２を着脱自在に取り付ける構成で、本体１にはモータ３を内蔵し、ヘッド部２には横軸回転する脱毛シリンダ４が取り付けてある。モータ３軸には出力ギア３１が固着され、中間ギア３２、３３を介して脱毛シリンダ４の軸に固着した入力ギア４１に接続されている。出力ギア３１と中間ギア３２は、本体１の上面に凹設したギア溝１１の中に収容されており、中間ギア３２の上端を本体１の上面に露出させている。モータ３は密封構造の本体１内に収容され、その出力軸３０はギア溝１１の壁面に設けた軸受６を通して先端をギア溝１１の中に突出している。また、軸受６は外部からの水漏れや毛などの侵入を防ぐようにパッキン材などを用いてシールされている。【特許請求の範囲】
【請求項１】
モータを駆動源とし、
歯車列を介して前記モータの出力をヘッド部に取り付けた脱毛ディスクの回転軸に伝達し、これより脱毛ディスクを回転してムダ毛を引き抜く構成において、
前記モータを密封構造の本体内に収容し、
前記モータの出力軸が貫通する本体の壁面の軸受に防水のためのシール処理を施すことを特徴とする電気脱毛器。
【請求項２】
前記モータの出力軸の向きが縦横いずれかであることを特徴とする請求項１記載の電気脱毛器。
【請求項３】
誘導モータを駆動源とし、
歯車列を介して前記誘導モータの出力をヘッド部に取り付けた脱毛ディスクの回転軸に伝達し、
これより脱毛ディスクを回転してムダ毛を引き抜く構成において、
前記誘導モータのステータを密封構造の本体内に収容し、
前記誘導モータのロータは本体外の歯車列を含む脱毛ディスクの回転軸に接続して誘導モータの電気系統を防水することを特徴とする電気脱毛器。
【請求項４】
前記誘導モータの設置方向が縦横いずれかであることを特徴とする請求項３記載の電気脱毛器。
【請求項５】
前記ロータの回転運動部分がパッキン材でシールされていることを特徴とする請求項３記載の電気脱毛器。
【請求項６】
ソレノイドを駆動源とし、
歯車列を介して前記ソレノイドの往復運動を回転運動に変換する変換軸の出力をヘッド部に取り付けた脱毛ディスクの回転軸に伝達し、
これより脱毛ディスクを回転してムダ毛を引き抜く構成において、
前記ソレノイドのコイルを密封構造の本体内に収容し、
前記ソレノイドのプランジャは本体外の変換軸と歯車列を含む脱毛ディスクの回転軸に接続してソレノイドの電気系統を防水することを特徴とする電気脱毛器。
【請求項７】
前記ソレノイドの設置方向が縦横いずれかであることを特徴とする請求項６記載の電気脱毛器。
【請求項８】
前記変換軸がクランクシャフトであることを特徴とする請求項６記載の電気脱毛器。
【請求項９】
前記プランジャの往復運動部分がパッキン材でシールされていることを特徴とする請求項６記載の電気脱毛器。
【請求項１０】
モータを駆動源とし、
歯車列を介して前記モータの出力をヘッド部に取り付けた脱毛ディスクの回転軸に伝達し、
これより脱毛ディスクを回転してムダ毛を引き抜く構成において、
前記モータを密封構造の本体内に収容し、
前記モータの回転軸を本体の壁面を貫通して本体外の歯車列を含む脱毛ディスクの回転軸に接続するモータ側の歯車を本体に凹設した溝に収容し、
前記脱毛ディスク側の歯車にはカバーを被せ、
前記脱毛ディスク側の歯車をモータ側の歯車に接続するときは前記溝にカバーを挿入し、これより溝の開口部をカバーでフタをしてモータを防水することを特徴とする電気脱毛器。
【請求項１１】
前記溝の開口部には開閉自在のフタが取り付けられ、
前記溝にカバーを挿入するときはこのフタが開き、
前記溝からカバーを引き抜くとこのフタが閉じることを特徴とする請求項１０記載の電気脱毛器。
【請求項１２】
前記溝の開口部が切れ目の入った弾性体の膜で覆われ、
前記溝にカバーを挿入するときはこの切れ目が開き、
前記溝からカバーを引き抜くとこの切れ目が閉じることを特徴とする請求項１０記載の電気脱毛器。
【請求項１３】
前記溝にカバーを挿入したときにできる開口部とカバーの間のギャップがパッキン材でシールされることを特徴とする請求項１０記載の電気脱毛器。
【発明の詳細な説明】
【技術分野】
【０００１】  本発明は、ヘッド部に取り付けた脱毛ディスクを回転させてムダ毛を引き抜く電気脱毛器に関する。
【背景技術】
【０００２】  ムダ毛を引き抜く脱毛法は、根元から毛を除去できるので、カミソリで剃るのに比べて剃り残しがない分、仕上がりがきれいなうえ、毛が生え変わるのも遅いので、手軽にできる美肌処理として人気がある。
特に、ヘッド部に取り付けた脱毛ディスクを回転させてムダ毛を引き抜く電気脱毛器は、短時間で大量のムダ毛を簡単に処理できるので多くのユーザに利用されている。【０００３】  こうした脱毛処理は衣服を脱いで肌を露出して行うから、風呂場などで行うことが圧倒的に多く、入浴中やシャワーを浴びながら脱毛したいという要望も多い。
しかし、従来の電気脱毛器は、脱毛ディスクの駆動経路が複雑で防水が面倒なため十分な防水保護対策がなされておらず、モータなどの電気系統に水が入って故障や感電の心配があり、利用者の要望に応えることができないという問題があった。
【発明の開示】
【発明が解決しようとする課題】
【０００４】  本発明が解決しようとする問題点は、従来の電気脱毛器では十分な防水保護対策がなされていない点にある。
本発明は簡単な機構で効果的な防水が可能な電気脱毛器を提供することを目的とする。
【課題を解決するための手段】
【０００５】  そのため本発明は、モータを駆動源とし、歯車列を介して前記モータの出力をヘッド部に取り付けた脱毛ディスクの回転軸に伝達することにより脱毛ディスクを回転してムダ毛を引き抜く構成において、前記モータを密封構造の本体内に収容し、前記モータの出力軸が貫通する本体の壁面の軸受に防水のためのシール処理を施すことを最も主要な特徴とする。
【発明の効果】
【０００６】  本発明は、モータを密封構造の本体内に収容し、本体の壁面に設けたモータの出力軸の軸受をシール処理するので、水や毛などが本体内に侵入するのを防ぐことができる。その結果、入浴中やシャワーを浴びながらでも安全に電気脱毛器を使用でき、安全性と利便性が向上する。
【発明を実施するための最良の形態】
【０００７】  以下、本発明の実施の形態について説明する。【０００８】  図１に本発明を実施した第１実施例の電気脱毛器の断面図を、図２にその分解斜視図をそれぞれ示す。
第１実施例の電気脱毛器は、本体１に対してヘッド部２を着脱自在に取り付ける構成で、本体１にはモータ３を内蔵し、ヘッド部２には脱毛シリンダ４が取り付けてある。
モータ３の出力軸３０には出力ギア３１が固着され、出力ギア３１は中間ギア３２、３３を介して脱毛シリンダ４の軸４０に取り付けた入力ギア４１に接続されている。
これによりモータ３の回転を入力ギア４１に伝達して脱毛シリンダ４を駆動するようになっている。
出力ギア３１と中間ギア３２は、本体１のヘッド嵌合部１ａの底板１０に凹設したギア溝１１の中に収容されており、中間ギア３２の上部がこの底板１０より上に露出している。
脱毛シリンダ４は、外周縁がピンセットのように弾性的に開閉する複数組の脱毛ディスク５を、反対方向に回転する２本の軸４０、４０に対称的に配置した公知の構造で、図４及び図５に示すように、脱毛シリンダ４は両端部の間隔がＡの部分がＢの部分より狭くなっているため、２本の軸４０、４０が回転すると、各脱毛ディスク５はＡの部分に相当するヘッド部２の上部で閉じ、逆にＢの部分に相当するヘッド部２の下部で開く。この動作によりムダ毛を順次挟んで引抜く。
４２はヘッド部２が皮膚の上を円滑に移動するためのコロで、４３は隣り合う脱毛ディスク５の間隔を保つスペーサである。【０００９】  ヘッド部２と本体１は、図２及び図３に示すように、ヘッド部２を本体１のヘッド嵌合部１ａに嵌め込み、ヘッド部２の底面に突き出たフック２１を本体１の底板１０に明けた係止溝１２に挿入して結合する。
係止溝１２の開閉は、外向きにバネで付勢されている可動板１３によって行われ、ヘッド部２を本体１から取り外すときは、本体１の正面に突出した可動板１３の先端を本体１の内側に向け押し込む。これにより係止溝１２が開いてフック２１のロックを解除できるようになっている。２２は係止溝１２の下方を閉鎖する水止め板で、本体１を密封している。【００１０】  モータ３はこのような密封構造の本体１内に収容され、モータ３の出力軸３０はギア溝１１の壁面の軸受６を通して、その先端をギア溝１１の中に突出している。
また、軸受６は外部からの水漏れや毛などの侵入を防ぐようにパッキン材などを用いてシールされている。
このように構成することで、本体１内には出力軸３０以外は内部に連通する部分はなく、その軸受６はシールされているので水や毛などが入らない。
モータ３の電源コードは図示しないが本体１との間でシールされている。
またモータ３をオンオフするスイッチ（図示しない）もゴム膜で覆って水が入らないようになっている。【００１１】  図１の電気脱毛器は、本体１に内蔵するモータ３を横置きに設置しているが、図６の第２実施例に示すように、モータ３を縦置きに設置してもよい。
この場合、出力軸３０と脱毛シリンダ４の軸が直角に交差するので、ベベルギア３４、３５などを用いて回転方向を変換する。
そのため、縦置きのモータ３の回転をベベルギア３４、３５、出力ギア３１、中間ギア３２を介して入力ギア４１に伝達することにより、脱毛シリンダ４を駆動する。
モータ３は、図１と同様に、密封構造の本体１内に収容され、その出力軸３０は本体１の上面に設けた軸受６を通して本体１の上面に突出する。
また、軸受６は外部からの水漏れや毛などの侵入を防ぐようにパッキン材などを用いてシールされている。
このように構成することで、出力軸３０の貫通個所をフラットな本体１の上面の中心に持ってくることができるので、軸受６の取り付けが容易になる。【００１２】  図７に、本発明を実施した第３実施例の電気脱毛器の断面図を示す。
第３実施例の電気脱毛器は、誘導モータ７の回転をベベルギア３４及び３５、出力ギア３１、並びに中間ギア３２を介して入力ギア４１に伝達し、脱毛シリンダ４を駆動するようになっている。
誘導モータ７は、ロータ７１とステータ７２を分離し、そのうちロータ７１を本体１の上面に凹設したロータ溝１４の中に収容し、ステータ７２は密封構造の本体１内に収容する。
このため、ロータ７１とロータ７１の外周を取り囲むステータ７２の間はロータ溝１４を形成する本体１の外壁で隔てられた構造になっている。
また、ロータ７１の外周の回転運動部分は外部からの水漏れや毛などの侵入を防ぐように、図示しないパッキン材などを用いてシールされている。
ロータ７１は永久磁石や強磁性体からなり、ステータ７１を形成する複数のコイルがつくる回転磁界に引かれて回転する。
このように構成することで、ステータ７２を収容している本体１内には外部に連通する部分はなく完全密封され、ロータ７１の外周の回転運動部分はシールされているので水や毛などが入らないようになっている。
図７の電気脱毛器は、本体１に内蔵する誘導モータ７を縦置きに設置しているが、誘導モータ７を横置きに設置してもよい。【００１３】  図８に、本発明を実施した第４実施例の電気脱毛器の断面図を示す。
第４実施例の電気脱毛器は、ソレノイド８のプランジャ８１をクランクシャフト８２に接続してプランジャ８１の往復運動をクランクシャフト８２の回転運動に変換する。
クランクシャフト８２には出力ギア３１が固着され、中間ギア３２を介して脱毛シリンダ４の軸に固着した入力ギア４１に接続されている。
これにより、クランクシャフト８２の回転を入力ギア４１に伝達して脱毛シリンダ４を駆動するようになっている。
なお、クランクシャフト８２の出力ギア３１の反対側にはフライホイール８３を固着して回転を円滑にしている。
ソレノイド８は、プランジャ８１とコイル８４を分離して本体１の上面に凹設したプランジャ溝１５の中にプランジャ８１を収容し、密封構造の本体１内にコイル８４を収容している。
このため、プランジャ８１とプランジャ８１の外周を取り囲むコイル８４の間はプランジャ溝１５を形成する本体１の外壁で隔てられている。
また、プランジャ８１の外周の往復運動部分は外部からの水漏れや毛などの侵入を防ぐようにパッキン材などを用いてシールされている。
このように構成することで、コイル８４を収容している本体１内には外部に連通する部分はなく完全密封され、プランジャ８１の外周の往復運動部分はシールされているので水や毛などが入らないようになっている。
図８の電気脱毛器は、本体１に内蔵するソレノイド８を縦置きに設置しているが、ソレノイド８を横置きに設置してもよい。【００１４】  図９に、本発明を実施した第５実施例の電気脱毛器の断面図を示す。
第５実施例の電気脱毛器は、第１実施例の電気脱毛器と同様に出力軸３０に出力ギア３１が固着され、中間ギア３２、３３を介して脱毛シリンダ４の軸に固着した入力ギア４１に接続されている。
出力ギア３１と中間ギア３２は、本体１の上面に凹設したギア溝１１の中に収容されており、中間ギア３２の上端を本体１の上面に露出させている。
中間ギア３３と入力ギア４１にはギアカバー９を取り付けて中間ギア３２との噛合面を除く全面を遮蔽している。【００１５】  ギア溝１１は、図１０に示すように、図の矢印方向にバネで付勢されている可動板１６によって開閉自在に構成され、ヘッド部２を本体１に結合して中間ギア３２に中間ギア３３を噛合するときは、本体１の側面に突出した可動板１６の先端を押すことにより、ギア溝１１の開口部と可動板１６の開口部が合わさって口が開き、ギア溝１１にギアカバー９を挿入できるようになっている。【００１６】  ギア溝１１にギアカバー９を挿入したときにできるギア溝１１の開口部とギアカバー９の間のギャップは外部からの水漏れや毛などの侵入を防ぐようにパッキン材などを用いてシールされるようになっている。
このように構成することで、本体１内にはギア溝１１の開口部とギアカバー９の間のギャップ以外は内部に連通する部分はなく、ギア溝１１の開口部とギアカバー９の間のギャップはパッキン材などでシールされるので水や毛などが入らないようになっている。【００１７】  図９の電気脱毛器は、中間ギア３３と入力ギア４１よりなる複数のギアにギアカバー９を取り付けているが、図１１の第６実施例に示すように、中間ギア３２に噛合する中間ギア３３との間に別の中間ギア３６を介在させて中間ギア３２、３３を接続し、単一の中間ギア３６にギアカバー９を取り付けるようにしてもよい。
これにより、ギアカバー９を小さくして防水面積を縮小することができる。
また、ギア溝１１の開口部をゴムなどの膜状の弾性材料で被覆し、この膜に切れ目を入れてそこからギアカバー９を挿入するようにしてもよい。
これにより、複雑な開閉機構を必要としない簡単な構造でギア溝１１の開口部を防水できるようになる。
【図面の簡単な説明】
【００１８】［図１］本発明の第１実施例の電気脱毛器の断面図である。
［図２］ヘッド部を取り外した状態の分解斜視図である。
［図３］図１とは直交する方向の断面図である。
［図４］ヘッド部の平面図である。
［図５］脱毛ディスクの作用説明図である。
［図６］本発明の第２実施例の電気脱毛器の断面図である。
［図７］本発明の第３実施例の電気脱毛器の断面図である。
［図８］本発明の第４実施例の電気脱毛器の断面図である。
［図９］本発明の第５実施例の電気脱毛器の断面図である
［図１０］ギア溝の開口部を開閉する方法の説明図である。
［図１１］本発明の第６実施例の電気脱毛器の断面図である。
【符号の説明】
【００１９】  １        本体
１ａ      ヘッド嵌合部
１０      底板
１１      ギア溝
１２      係止溝
１３      可動板
１４      ロータ溝
１５      プランジャ溝
１６      可動板
２        ヘッド部
２１      フック
２２      水止め板
３        モータ
３０      出力軸
３１      出力ギア
３２      中間ギア
３３      中間ギア
３４      ベベルギア
３５      ベベルギア
３６      中間ギア
４        脱毛シリンダ
４０      軸
４１      入力ギア
４２      コロ
４３      スペーサ
５        脱毛ディスク
６        軸受
７        誘導モータ
７１      ロータ
７２      ステータ
８        ソレノイド
８１      プランジャ
８２      クランクシャフト
８３      フライホイール
８４      コイル
９        ギアカバー
【図１】
2006001306.tif 000002
【図２】
2006001306.tif 000003
【図３】
2006001306.tif 000004
【図４】
2006001306.tif 000005
【図５】
2006001306.tif 000006
【図６】
2006001306.tif 000007
【図７】
2006001306.tif 000008
【図８】
2006001306.tif 000009
【図９】
2006001306.tif 000010
【図１０】
2006001306.tif 000011
【図１１】
2006001306.tif 000012
【国際調査報告】
2006001306.tif 000013
2006001306.tif 000014